(57)【特許請求の範囲】
【請求項１】
１以上のプリセットキーをタッチパネル画面上にソフトキーとして表示させる表示制御部と、
外部の携帯端末と接続する接続部と、
上記接続部に上記携帯端末が接続されたときに、上記携帯端末に記憶されている１以上のアプリケーションであって、上記携帯端末のメイン画面にアイコンが表示されている１以上のアプリケーションに関する情報であるアプリケーション情報を上記携帯端末から取得するアプリケーション情報取得部と、
上記アプリケーション情報取得部により取得された上記アプリケーション情報に基づいて、上記１以上のアプリケーションを上記ソフトキーとしての上記１以上のプリセットキーに割り当てるキー割当部と、
上記１以上のプリセットキーの何れかが操作されたときに、操作されたプリセットキーに対して上記キー割当部により割り当てられたアプリケーションに対する操作を実行するためのコマンドを発行し、上記携帯端末に送信するコマンド発行部とを備えたことを特徴とする電子機器。
【請求項２】
上記アプリケーション情報取得部により取得された上記アプリケーション情報に基づいて、上記１以上のアプリケーションに対応した１以上のアイコンを取得するアイコン取得部を更に備え、
上記キー割当部は、上記アイコン取得部により取得された１以上のアイコンを上記ソフトキーとして、上記１以上のアプリケーションを上記１以上のアイコンに割り当てることを特徴とする請求項１に記載の電子機器。
【請求項３】
上記アプリケーション情報取得部は、上記携帯端末のメイン画面にアイコンが表示されている１以上のアプリケーションに関するアプリケーション情報として、上記１以上のアプリケーションの名称および上記アイコンのメイン画面上での位置情報を上記携帯端末から取得し、
上記キー割当部は、上記アプリケーション情報取得部により取得された上記アプリケーションの名称を上記ソフトキーとしての上記１以上のプリセットキーに割り当て、
上記表示制御部は、上記アプリケーション情報取得部により取得された上記アイコンの位置情報に基づき特定される上記アイコンのメイン画面上での並び順と同じ順番で、当該アイコンに対応する上記１以上のアプリケーションが割り当てられた上記１以上のプリセットキーを上記タッチパネル画面上に表示させることを特徴とする請求項１に記載の電子機器。
【請求項４】
上記アプリケーション情報取得部により取得された上記アプリケーションの名称に基づいて、上記１以上のアプリケーションに対応した１以上のアイコンを取得するアイコン取得部を更に備え、
上記キー割当部は、上記アイコン取得部により取得された１以上のアイコンを上記１以上のプリセットキーとして、上記１以上のアプリケーションを上記１以上のアイコンに割り当てることを特徴とする請求項３に記載の電子機器。
【請求項５】
上記アプリケーション情報取得部は、上記携帯端末のメイン画面にアイコンが表示されている１以上のアプリケーションに関するアプリケーション情報として、上記１以上のアプリケーションの名称および上記アイコンを上記携帯端末から取得し、
上記キー割当部は、上記アプリケーション情報取得部により取得された上記アプリケーションの名称を、上記アプリケーション情報取得部により取得された上記１以上のアイコンに割り当て、
上記表示制御部は、上記１以上のアイコンを上記タッチパネル画面上に表示させることを特徴とする請求項１に記載の電子機器。
【請求項６】
上記アプリケーション情報取得部は、上記アプリケーション情報として、上記１以上のアプリケーションの名称および上記アイコンに加えて当該アイコンのメイン画面上での位置情報を上記携帯端末から取得し、
上記表示制御部は、上記アプリケーション情報取得部により取得された上記アイコンの位置情報に基づき特定される上記アイコンのメイン画面上での並び順と同じ順番で、当該アイコンに対応する上記１以上のアプリケーションが割り当てられた上記１以上のアイコンを上記タッチパネル画面上に表示させることを特徴とする請求項５に記載の電子機器。
【請求項７】
外部の携帯端末と接続する接続部と、
上記接続部に上記携帯端末が接続されたときに、上記携帯端末に記憶されている１以上のアプリケーションに関する情報であるアプリケーション情報として、上記１以上のアプリケーションの名称を上記携帯端末から取得するアプリケーション情報取得部と、
上記アプリケーション情報取得部により取得された上記アプリケーション情報に基づいて、上記１以上のアプリケーションをハードキーとしての１以上のプリセットキーに割り当てるキー割当部と、
上記１以上のハードキーの近傍に備えられた表示画面に対する表示を制御するものであって、上記アプリケーション情報取得部により取得された上記１以上のアプリケーションの名称に基づいて、上記１以上のハードキーに割り当てられたアプリケーションの名称を当該１以上のハードキーの位置に対応させて上記表示画面に表示させる表示制御部と、
上記１以上のプリセットキーの何れかが操作されたときに、操作されたプリセットキーに対して上記キー割当部により割り当てられたアプリケーションに対する操作を実行するためのコマンドを発行し、上記携帯端末に送信するコマンド発行部とを備えたことを特徴とする電子機器。
【請求項８】
外部の携帯端末が電子機器に接続されたときに、上記電子機器のアプリケーション情報取得部が、上記携帯端末に記憶されている１以上のアプリケーションであって、上記携帯端末のメイン画面にアイコンが表示されている１以上のアプリケーションに関する情報であるアプリケーション情報を上記携帯端末から取得する第１のステップと、
上記電子機器のキー割当部が、上記第１のステップで取得された上記アプリケーション情報に基づいて、上記電子機器の表示制御部によりタッチパネル画面上にソフトキーとして表示されている１以上のプリセットキーに上記１以上のアプリケーションを割り当てる第２のステップとを有することを特徴とする操作キーの割当方法。
【請求項９】
外部の携帯端末が電子機器に接続されたときに、上記電子機器のアプリケーション情報取得部が、上記携帯端末に記憶されている１以上のアプリケーションに関する情報であるアプリケーション情報として、上記１以上のアプリケーションの名称を上記携帯端末から取得する第１のステップと、
上記電子機器のキー割当部が、上記第１のステップで取得された上記アプリケーション情報に基づいて、上記１以上のアプリケーションをハードキーとしての１以上のプリセットキーに割り当てる第２のステップと、
上記電子機器の表示制御部が、上記第１のステップで取得された上記１以上のアプリケーションの名称に基づいて、上記１以上のハードキーの近傍に備えられた表示画面に対し、上記１以上のハードキーに割り当てられたアプリケーションの名称を当該１以上のハードキーの位置に対応させて表示させる第３のステップとを有することを特徴とする操作キーの割当方法。
【発明の詳細な説明】
【技術分野】
【０００１】
本発明は、電子機器および操作キーの割当方法に関し、特に、各種のアプリケーションが記憶された携帯端末を接続可能に構成されるとともに、当該携帯端末に記憶されたアプリケーションに対する操作を行うことが可能になされた電子機器に用いて好適なものである。
【背景技術】
【０００２】
近年、携帯電話の機能と携帯情報端末（ＰＤＡ）の機能とを融合させた携帯端末が提供されている。この種の携帯端末は、スマートフォンと呼ばれており、通常の通話機能だけでなく、ＰＤＡが得意とする各種のアプリケーション機能を持っている。多くのスマートフォンは、タッチパネル画面を備えている。このタッチパネル画面には、通話を含む複数のアプリケーションを起動するための操作キー（アイコン）が表示され、アイコンのタッチ操作によって所望のアプリケーションを簡単に起動できるようになされている。
【０００３】
さらに近年、ＵＳＢ（Universal Serial Bus）などによってスマートフォンを接続可能に構成されるとともに、当該スマートフォンのアプリケーションに対する操作を行うことが可能になされた車載電子機器が提案されている。例えば、車載電子機器が対応するリソース（ＤＶＤ、ラジオ、ハードディスク上のプレイリスト等）の１つにスマートフォンを割り当て、リソース選択画面でスマートフォンを選択することにより、スマートフォンのアプリケーションに対する操作を車載電子機器において行うことができるようになされている。
【０００４】
しかしながら、従来は、スマートフォンのアプリケーションを車載電子機器から操作するためには、車載電子機器のメイン画面からリソース選択画面を呼び出し、当該リソース選択画面でスマートフォンを選択した後、当該スマートフォンが備える複数のアプリケーションをリスト表示させ、その中から所望のアプリケーションを選択して起動させる一連の操作が必要であった。そのため、操作が煩雑であり、所望のアプリケーションを探して起動するのに多くの時間がかかってしまうという問題があった。
【０００５】
なお、複数のプリセットキーに異なる外部機器を登録しておき、何れかのプリセットキーが押された場合、そのプリセットキーに登録されている外部機器と接続を行うようになされた電子機器が提案されている（例えば、特許文献１参照）。また、複数のプリセットキーに異なる検索コマンドを登録しておき、何れかのプリセットキーが押された場合、そのプリセットキーに登録されている検索コマンドを用いて、接続されている外部機器に記憶された楽曲を検索するようになされたオーディオ装置が提案されている（例えば、特許文献２参照）。
【先行技術文献】
【特許文献】
【０００６】
【特許文献１】特開２００８−１２４７７６号公報
【特許文献２】特開２００８−２７３４５号公報
【発明の概要】
【発明が解決しようとする課題】
【０００７】
しかしながら、上記特許文献１に記載の技術では、電子機器のプリセットキーを操作することにより、当該電子機器に接続されている複数の外部機器の中から所望の外部機器を選択して接続することはできるが、接続した外部機器のアプリケーションをプリセットキーの操作で起動させることはできない。また、ユーザが事前に外部機器をプリセットキーに登録しておく必要があり、この登録がない外部機器はプリセットキーにより選択することができない。
【０００８】
また、上記特許文献２に記載の記述では、電子機器のプリセットキーを操作することにより、当該電子機器に接続されている外部機器の中から所望の楽曲を検索することはできるが、外部機器の中から所望のアプリケーションをプリセットキーの操作で起動させることはできない。また、ユーザが事前に検索コマンドをプリセットキーに登録しておく必要があり、この登録をしない限り、プリセットキーによって外部機器の操作をすることはできない。
【０００９】
本発明は、このような問題を解決するために成されたものであり、ユーザが事前にプリセットキーへの登録作業を行わなくても、携帯端末が接続された電子機器において、外部の携帯端末に記憶されているアプリケーションに対する操作を簡単に行うことができるようにすることを目的とする。
【課題を解決するための手段】
【００１０】
上記した課題を解決するために、本発明では、電子機器に外部の携帯端末が接続されたときに、電子機器において、携帯端末に記憶されている１以上のアプリケーションであって、携帯端末のメイン画面にアイコンが表示されている１以上のアプリケーションに関するアプリケーション情報を携帯端末から取得し、当該取得したアプリケーション情報に基づいて、タッチパネル画面上にソフトキーとして表示されている１以上のプリセットキーに１以上のアプリケーションを割り当てるようにしている。
また、本発明の他の態様では、電子機器に外部の携帯端末が接続されたときに、電子機器において、携帯端末に記憶されている１以上のアプリケーションに関するアプリケーション情報として、１以上のアプリケーションの名称を携帯端末から取得し、当該取得したアプリケーション情報に基づいて、１以上のアプリケーションをハードキーとしての１以上のプリセットキーに割り当て、１以上のハードキーの近傍に備えられた表示画面に対し、１以上のハードキーに割り当てられたアプリケーションの名称を当該１以上のハードキーの位置に対応させて表示させるようにしている。
【発明の効果】
【００１１】
上記のように構成した本発明によれば、電子機器に外部の携帯端末が接続されると、携帯端末から電子機器にアプリケーション情報が送られ、そのアプリケーション情報に基づいて電子機器のプリセットキーに対するアプリケーションの割り当てが自動的に行われる。このため、ユーザが事前にプリセットキーへのアプリケーションの登録作業を行っておかなくても、電子機器のプリセットキーの操作によって、携帯端末に記憶されているアプリケーションに対する操作を簡単に行うことができるようになる。
【図面の簡単な説明】
【００１２】
【図１】本実施形態の電子機器を適用したシステム全体の構成例を示す図である。
【図２】本実施形態による車載電子機器の機能構成例を示すブロックである。
【図３】本実施形態による車載電子機器の動作例を示すフローチャートである。
【図４】本実施形態の電子機器を適用したシステム全体の他の構成例を示す図である。
【発明を実施するための形態】
【００１３】
以下、本発明の一実施形態を図面に基づいて説明する。図１は、本発明の電子機器を適用したシステム全体の構成例を示す図である。本実施形態では、電子機器の一例として車載電子機器１０を用いる。車載電子機器１０は、ＵＳＢ３０を介して外部の携帯端末（例えば、スマートフォン）２０を接続可能に構成されるとともに、当該スマートフォン２０のアプリケーションに対する操作を行うことができるように構成されている。
【００１４】
スマートフォン２０は、タッチパネル画面２１を備えている。このタッチパネル画面２１のメイン画面（常時表示されているデスクトップ画面）には、スマートフォン２０に記憶されているアプリケーションに対応する１以上のアイコン２１Ａ〜２１Ｆが表示されている。本実施形態では、ユーザがよく使用するアプリケーションのアイコン２１Ａ〜２１Ｆが６つ表示されているものとする。これら６つのアイコン２１Ａ〜２１Ｆの中からユーザが所望のアイコンをタッチ操作することにより、操作したアイコンに対応するアプリケーションを起動できるようになされている。
【００１５】
車載電子機器１０もタッチパネル画面１１を備えている。このタッチパネル画面１１には、１以上のプリセットキー１１Ａ〜１１Ｂがソフトキーとして表示される。ユーザが所望のプリセットキーをタッチ操作すると、車載電子機器１０は、操作されたプリセットキーに割り当てられた処理を実行する。以下に詳しく説明するように、タッチパネル画面１１に表示された１以上のプリセットキー１１Ａ〜１１Ｆには、スマートフォン２０のアプリケーションが割り当てられ、当該プリセットキー１１Ａ〜１１Ｆの操作によってスマートフォン２０のアプリケーションを起動できるようになされている。
【００１６】
図２は、車載電子機器１０の機能構成例を示すブロックである。図２に示すように、車載電子機器１０は、その機能構成として、接続部１２、アプリケーション情報取得部１３、キー割当部１４、割当情報記憶部１４Ａ、アイコン取得部１５、アイコン記憶部１５Ａ、表示制御部１６、操作受付部１７およびコマンド発行部１８を備えている。
【００１７】
接続部１２は、ＵＳＢ３０を介してスマートフォン２０と接続するインタフェース部であり、スマートフォン２０との間でデータの送受信を行う。この接続部１２は、スマートフォン２０が接続されたか否かを判定し、その判定結果をアプリケーション情報取得部１３に通知する。アプリケーション情報取得部１３は、接続部１２によりスマートフォン２０が接続されたことが検知されたときに、スマートフォン２０に記憶されている１以上のアプリケーションに関するアプリケーション情報をスマートフォン２０から接続部１２を介して取得する。
【００１８】
本実施形態において、アプリケーション情報取得部１３は、スマートフォン２０のメイン画面にアイコン２１Ａ〜２１Ｆが表示されている１以上のアプリケーションに関するアプリケーション情報をスマートフォン２０から取得する。アプリケーション情報取得部１３が取得するアプリケーション情報は、スマートフォン２０のメイン画面にアイコン２１Ａ〜２１Ｆが表示されている１以上のアプリケーションの名称および当該アイコン２１Ａ〜２１Ｆのメイン画面上での位置情報を含む。
【００１９】
キー割当部１４は、アプリケーション情報取得部１３により取得されたアプリケーション情報に基づいて、スマートフォン２０のメイン画面にアイコン２１Ａ〜２１Ｆが表示されている１以上のアプリケーションを車載電子機器１０の１以上のプリセットキー１１Ａ〜１１Ｆに割り当てる。具体的には、キー割当部１４は、アプリケーション情報に含まれるアプリケーションの名称を、ソフトキーとしての１以上のプリセットキー１１Ａ〜１１Ｆに割り当てる。キー割当部１４は、プリセットキー１１Ａ〜１１Ｆとアプリケーションとの割当関係を示す情報を割当情報記憶部１４Ａに記憶する。
【００２０】
表示制御部１６は、１以上のプリセットキー１１Ａ〜１１Ｆをタッチパネル画面１１上にソフトキーとして表示させる。例えば、表示制御部１６は、１以上のプリセットキー１１Ａ〜１１Ｆをアプリケーションに応じたアイコンとして表示させる。このとき表示制御部１６は、アプリケーション情報に含まれるアイコン２１Ａ〜２１Ｆの位置情報をタッチパネル画面１１上の位置情報に変換し、アイコン２１Ａ〜２１Ｆがメイン画面上で表示されている並び順と同じ順番で、当該アイコン２１Ａ〜２１Ｆに対応する１以上のアプリケーションが割り当てられた１以上のプリセットキー１１Ａ〜１１Ｆをアイコンとしてタッチパネル画面１１上に表示させる。
【００２１】
このように、車載電子機器１０のタッチパネル画面１１に１以上のプリセットキー１１Ａ〜１１Ｆをアイコンとして表示させるために、アイコン取得部１５が備えられている。アイコン取得部１５は、アプリケーション情報取得部１３により取得されたアプリケーション情報に含まれるアプリケーションの名称に基づいて、スマートフォン２０の１以上のアプリケーションに対応した１以上のアイコンをアイコン記憶部１５Ａから取得する。
【００２２】
アイコン記憶部１５Ａは、複数のアイコンをアプリケーションの名称と関連付けて記憶している。この関連付けは、例えば車載電子機器１０のユーザがあらかじめ、図示しない操作部を用いて行っておく。例えば、アイコン記憶部１５Ａにあらかじめ記憶されている複数のアイコンの中から所望のアイコンを選択し、選択したアイコンに対して所望のアプリケーションの名称を付与してアイコン記憶部１５Ａに記憶させる。
【００２３】
なお、ここではアイコン取得部１５が車載電子機器１０のアイコン記憶部１５Ａからアイコンを取得する例について説明したが、本発明はこれに限定されない。例えば、車載電子機器１０をインターネットに接続可能に構成し、アプリケーションの名称に対応した１以上のアイコンをインターネット上のサーバ（図示せず）から取得するようにしてもよい。
【００２４】
このように、表示制御部１６が１以上のプリセットキー１１Ａ〜１１Ｆをタッチパネル画面１１にアイコンとして表示させるようにした場合、上述のキー割当部１４は、アイコン取得部１５により取得された１以上のアイコンを１以上のプリセットキー１１Ａ〜１１Ｆとして用い、スマートフォン２０の１以上のアプリケーションを１以上のアイコンに割り当てる。
【００２５】
なお、ここでは１以上のプリセットキー１１Ａ〜１１Ｆを、アプリケーションに応じたアイコンとして表示させる例について説明したが、本発明はこれに限定されない。例えば、規定のプリセットキー１１Ａ〜１１Ｆに対し、スマートフォン２０から取得したアプリケーション情報に含まれるアプリケーションの名称を付与して表示するようにしてもよい。この場合、アイコン取得部１５およびアイコン記憶部１５Ａは不要となる。
【００２６】
操作受付部１７は、タッチパネル画面１１に表示された１以上のプリセットキー（アイコン）１１Ａ〜１１Ｆに対するユーザのタッチ操作を受け付ける。コマンド発行部１８は、タッチパネル画面１１に表示された１以上のプリセットキー１１Ａ〜１１Ｆの何れかが操作されたときに、割当情報記憶部１４Ａを参照し、操作されたプリセットキー１１Ａ〜１１Ｆに割り当てられたアプリケーションに対する操作を実行するためのコマンドを発生し、接続部１２を介してスマートフォン２０に送信する。
【００２７】
本実施形態では、コマンド発行部１８は、アプリケーションの起動コマンドを発行する。当該起動コマンドは、アプリケーションの起動命令と、アプリケーションの名称とを含む。この起動コマンドを受け取ったスマートフォン２０では、アプリケーションの名称から起動すべきアプリケーションを特定し、起動命令に従って当該アプリケーションを起動する。
【００２８】
なお、起動コマンドに含めるアプリケーションの名称に代えて、当該アプリケーションに対応するアイコン２１Ａ〜２１Ｆの位置情報を用いてもよい。この場合の位置情報は、アプリケーション情報取得部１３がスマートフォン２０から取得したものを用いることが可能である。例えば、キー割当部１４がアイコン２１Ａ〜２１Ｆの位置情報をプリセットキー１１Ａ〜１１Ｆに割り当て、その割当情報を割当情報記憶部１４Ａに格納しておけばよい。
【００２９】
次に、上記のように構成した本実施形態による車載電子機器１０の動作を説明する。図３は、本実施形態による車載電子機器１０の動作例を示すフローチャートである。図３に示すフローチャートは、スマートフォン２０を車載電子機器１０に接続したときにスタートする。
【００３０】
図３において、まず接続部１２は、スマートフォン２０が接続されたか否かを判定する（ステップＳ１）。スマートフォン２０が接続されたことを接続部１２が検知した場合、アプリケーション情報取得部１３は、スマートフォン２０に記憶されている１以上のアプリケーション（スマートフォン２０のメイン画面にアイコン２１Ａ〜２１Ｆが表示されている１以上のアプリケーション）に関するアプリケーション情報をスマートフォン２０から取得する（ステップＳ２）。
【００３１】
アプリケーション情報取得部１３がアプリケーション情報を取得すると、アイコン取得部１５は、そのアプリケーション情報に含まれるアプリケーションの名称に基づいて、スマートフォン２０のアプリケーションに対応するアイコンをアイコン記憶部１５Ａから取得する（ステップＳ３）。そして、キー割当部１４は、アプリケーション情報に含まれるアプリケーションの名称を、アイコン取得部１５により取得された１以上のアイコンに割り当てる（ステップＳ４）。
【００３２】
表示制御部１６は、アプリケーションが割り当てられた１以上のアイコンをプリセットキー１１Ａ〜１１Ｆとしてタッチパネル画面１１上に表示させる（ステップＳ５）。そして、操作受付部１７は、タッチパネル画面１１に表示されたプリセットキー１１Ａ〜１１Ｆに対してユーザのタッチ操作を受け付けたか否かについて判定する（ステップＳ６）。
【００３３】
ここで、プリセットキー１１Ａ〜１１Ｆの何れかに対するタッチ操作を受け付けたと操作受付部１７にて判断した場合、コマンド発行部１８は、割当情報記憶部１４Ａを参照して、操作されたプリセットキー１１Ａ〜１１Ｆに割り当てられたアプリケーションの起動コマンドを発行し、接続部１２を介してスマートフォン２０に送信する（ステップＳ７）。これにより、対応するアプリケーションがスマートフォン２０にて起動され、そのアプリケーション画面が車載電子機器１０に送られてタッチパネル画面１１に表示される。
【００３４】
以上詳しく説明したように、本実施形態では、車載電子機器１０に外部のスマートフォン２０が接続されたときに、車載電子機器１０において、スマートフォン２０に記憶されている１以上のアプリケーションに関するアプリケーション情報をスマートフォン２０から取得し、当該取得したアプリケーション情報に基づいて、１以上のアプリケーションを１以上のプリセットキー１１Ａ〜１１Ｆに割り当ててタッチパネル画面１１に表示するようにしている。
【００３５】
このように構成した本実施形態によれば、車載電子機器１０に外部のスマートフォン２０が接続されると、スマートフォン２０から車載電子機器１０にアプリケーション情報が送られ、車載電子機器１０のプリセットキー１１Ａ〜１１Ｆに対するアプリケーションの割り当てが自動的に行われる。このため、ユーザが事前にプリセットキー１１Ａ〜１１Ｆへのアプリケーションの登録作業を行っておかなくても、車載電子機器１０のタッチパネル画面１１に表示されたプリセットキー１１Ａ〜１１Ｆの操作によって、スマートフォン２０に記憶されているアプリケーションを簡単に起動することができる。
【００３６】
スマートフォン２０のメイン画面に表示させるアイコン２１Ａ〜２１Ｆを変えれば、車載電子機器１０のタッチパネル画面１１にプリセットキー１１Ａ〜１１Ｆとして表示されるアイコンの表示も自動的に変わる。また、車載電子機器１０に接続するスマートフォン２０を変えれば、接続されたスマートフォン２０のメイン画面に表示されているアイコン２１Ａ〜２１Ｆに応じて、タッチパネル画面１１にプリセットキー１１Ａ〜１１Ｆとして表示されるアイコンの表示が自動的に変わる。そのため、車載電子機器１０に接続中のスマートフォン２０のメイン画面にアイコン２１Ａ〜２１Ｆが表示されているアプリケーションを、当該メイン画面のアイコン２１Ａ〜２１Ｆに合わせてタッチパネル画面１１に表示されたプリセットキー１１Ａ〜１１Ｆを操作するだけで簡単に起動することができる。
【００３７】
また、上記実施形態では、スマートフォン２０においてアイコン２１Ａ〜２１Ｆがメイン画面上で表示されている並び順と同じ順番で、当該アイコン２１Ａ〜２１Ｆに対応する１以上のアプリケーションが割り当てられたプリセットキー１１Ａ〜１１Ｆをアイコンとしてタッチパネル画面１１上に表示させている。プリセットキー１１Ａ〜１１Ｆは必ずしもスマートフォン２０のアイコン２１Ａ〜２１Ｆと同じ並び順にする必要はないが、そのように並べて表示することにより、ユーザがスマートフォン２０で見慣れているのと同様の操作環境を車載電子機器１０にも実現することができ、ユーザの操作性を向上させることができる。
【００３８】
なお、上記実施形態では、スマートフォン２０のメイン画面にアイコン２１Ａ〜２１Ｆが表示されている１以上のアプリケーションに対応するアイコンを、車載電子機器１０のアイコン取得部１５がアイコン記憶部１５Ａから取得する例について説明したが、本発明はこれに限定されない。例えば、アプリケーション情報取得部１３が、アプリケーション情報として１以上のアプリケーションの名称およびアイコン２１Ａ〜２１Ｆを取得するようにしてもよい。
【００３９】
この場合、アイコン取得部１５およびアイコン記憶部１５Ａは不要となる。また、キー割当部１４は、アプリケーション情報取得部１３により取得されたアプリケーションの名称を、同じくアプリケーション情報取得部１３により取得された１以上のアイコン２１Ａ〜２１Ｆに対して割り当てる。表示制御部１６は、スマートフォン２０と同じアイコン２１Ａ〜２１Ｆをタッチパネル画面１１に表示させる。なお、アプリケーション情報取得部１３がアプリケーション情報としてアイコン２１Ａ〜２１Ｆの位置情報を取得していない場合、表示制御部１６は、スマートフォン２０と同じアイコン２１Ａ〜２１Ｆをタッチパネル画面１１のあらかじめ決められた所定の位置に表示する。
【００４０】
また、アプリケーション情報取得部１３は、アプリケーション情報として、１以上のアプリケーションの名称およびアイコン２１Ａ〜２１Ｆに加えて、当該アイコン２１Ａ〜２１Ｆのメイン画面上での位置情報をスマートフォン２０から取得するようにしてもよい。この場合、表示制御部１６は、アプリケーション情報取得部１３が取得したアイコンの位置情報に基づいて、スマートフォン２０のメイン画面上での並び順と同じ順番でアイコン２１Ａ〜２１Ｆを車載電子機器１０のタッチパネル画面１１に上に表示させる。このようにすれば、ユーザがスマートフォン２０で見慣れている操作環境と酷似した操作環境を車載電子機器１０にも実現することができる。
【００４１】
また、上記実施形態では、スマートフォン２０のアプリケーションをタッチパネル画面１１上のソフトキーに割り当てる例について説明したが、本発明はこれに限定されない。例えば、図４に示すように、車載電子機器１０がハードキーとしてのプリセットキー４１Ａ〜４１Ｆを備える場合、キー割当部１４がアプリケーション情報取得部１３により取得されたアプリケーション情報に基づいて、１以上のアプリケーションをハードキーとしてのプリセットキー４１Ａ〜４１Ｆに割り当てるようにしてもよい。この場合、タッチパネル画面１１に代えて普通の表示画面１１’を用いるようにしてもよい。
【００４２】
さらに、プリセットキー４１Ａ〜４１Ｆをタッチパネル画面１１（または普通の表示画面１１’）の近傍に設けるようにする。そして、表示制御部１６が、アプリケーション情報取得部１３により取得された１以上のアプリケーションの名称に基づいて、ハードキーとしてのプリセットキー４１Ａ〜４１Ｆに割り当てられたアプリケーションの名称を、当該プリセットキー４１Ａ〜４１Ｆの位置に対応させて表示画面１１’に表示させるようにしてもよい。
【００４３】
図４の例では、電話、メール、Ｗｅｂ、スケジュール、音楽、地図などのアプリケーション名称がプリセットキー４１Ａ〜４１Ｆの直上にそれぞれ表示されている。このようにすれば、表示を変えられない固定のハードキーとしてのプリセットキー４１Ａ〜４１Ｆにアプリケーションを割り当てた場合でも、どのプリセットキー４１Ａ〜４１Ｆにどんなアプリケーションが割り当てられたのかを目で見て把握することができる。
【００４４】
また、上記実施形態では、スマートフォン２０のメイン画面にアイコン２１Ａ〜２１Ｆが表示されている１以上のアプリケーションを車載電子機器１０のプリセットキー１１Ａ〜１１Ｆ（またはプリセットキー４１Ａ〜４１Ｆ。以下同様）に割り当てる例について説明したが、本発明はこれに限定されない。例えば、メイン画面にアイコン２１Ａ〜２１Ｆが表示されていないアプリケーションであっても、ユーザがよく使用するアプリケーションをプリセットキー１１Ａ〜１１Ｆに割り当てるようにしてもよい。この場合、よく使用するアプリケーションかどうかを把握するために、各アプリケーションの起動回数をスマートフォン２０の内部メモリに記憶しておく。
【００４５】
また、上記実施形態では、スマートフォン２０のメイン画面にアイコン２１Ａ〜２１Ｆが表示されているアプリケーションについては、その全てを車載電子機器１０のプリセットキー１１Ａ〜１１Ｆに割り当てるようにしたが、本発明はこれに限定されない。例えば、メイン画面にアイコン２１Ａ〜２１Ｆが表示されているアプリケーションの一部だけを車載電子機器１０のプリセットキー１１Ａ〜１１Ｆに割り当てるようにしてもよい。
【００４６】
より具体的には、車室内では使用する可能性の低いアプリケーションはプリセットキー１１Ａ〜１１Ｆに割り当てないようにする。または、車室内では使用する可能性の低いアプリケーションをプリセットキー１１Ａ〜１１Ｆに割り当てた上で、グレースケール表示にして操作を受け付けないようにする。車室内で使用する可能性が低いアプリケーションは、車載電子機器１０の内部メモリにあらかじめ記憶しておく。または、車室内で使用する可能性が低いアプリケーションをユーザが設定して車載電子機器１０の内部メモリに記憶するようにしてもよい。
【００４７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４８】
１０  車載電子機器
１１  タッチパネル画面
１１Ａ〜１１Ｆ  プリセットキー（ソフトキー）
４１Ａ〜４１Ｆ  プリセットキー（ハードキー）
１２  接続部
１３  アプリケーション情報取得部
１４  キー割当部
１４Ａ  割当情報記憶部
１５  アイコン取得部
１５Ａ  アイコン記憶部
１６  表示制御部
１７  操作受付部
１８  コマンド発行部
２０  スマートフォン
２１Ａ〜２１Ｆ  アイコン
【図１】
0005517761.tif 000002
【図２】
0005517761.tif 000003
【図３】
0005517761.tif 000004
【図４】
0005517761.tif 000005